(57)【要約】【課題】  従来の活魚の掬い採り、及び魚重量計量の作業処理は、活魚の掬採操作と、重量計量操作が各別に行われるために、別途秤量器や、秤量容器等を必要とし、これらの秤量器等へ所定の計量状態に丁寧に搬送供給するための取扱手数を必要とする。【解決手段】  先端部に活魚掬採網（１）を有する網竿（２）に、この掬採網（１）により掬い採る活魚の重量を計量するロードセル（３）を設けたことを特徴とする活魚掬採竿網の構成とする。作業者は、網竿（２）を把持して、掬採網（１）部を活魚の掬採水面位置へ差し込んで、一尾、乃至数尾の活魚を掬い上げると、この掬採網（１）部の活魚の重量が網竿（２）及び作業者の手元に作用すると共に、この網竿（２）を保持したままの状態で、この網竿（２）と掬採網（１）との間のロードセル（３）に働く重量が計量検出される。【選択図】        図１
2006280345.tif 000002
【特許請求の範囲】
【請求項１】
先端部に活魚掬採網（１）を有する網竿（２）に、この掬採網（１）により掬い採る活魚の重量を計量するロードセル（３）を設けたことを特徴とする活魚掬採竿網。
【請求項２】
前記網竿（２）の手元部にロードセル（３）で計量した重量を表示する秤量表示器（４）を設けたことを特徴とする請求項１に記載の活魚掬採竿網。
【発明の詳細な説明】
【技術分野】
【０００１】  この発明は、漁業養殖、又は漁獲された活魚を掬い採ると同時に、この掬採活魚の重量を計量することのできる活魚掬採竿網に関するものである。
【背景技術】
【０００２】  漁獲した活魚を船槽から採り出したり、養殖網等で養殖された活魚を採り出すときは、所定長さの竿先に網を有した竿網を用いる。この竿網で掬い採った活魚は別途用意された秤量器にまで搬送して載せて秤量処理する。
【発明の開示】
【発明が解決しようとする課題】
【０００３】  前記従来の活魚の掬い採り、及び活魚重量計量の作業処理は、活魚の掬採操作と、重量計量操作が各別に行われるために、別途秤量器や、秤量容器等を必要とし、これらの秤量器等へ所定の秤量状態に丁寧に搬送供給するための取扱手数を必要とする。
【課題を解決するための手段】
【０００４】  請求項１に記載の発明は、先端部に活魚掬採網（１）を有する網竿（２）に、この掬採網（１）により掬い採る活魚の重量を計量するロードセル（３）を設けたことを特徴とする活魚掬採竿網の構成とする。作業者は、網竿（２）を把持して、掬採網（１）部を活魚の掬採水面位置へ差し込んで、一尾、乃至数尾の活魚を掬い上げると、この掬採網（１）部の活魚の重量が網竿（２）及び作業者の手元に作用すると共に、この網竿（２）を保持したままの状態で、この網竿（２）と掬採網（１）との間のロードセル（３）に働く重量が計量検出される。【０００５】  請求項２に記載の発明は、前記網竿（２）の手元部にロードセル（３）で計量した重量を表示する秤量表示器（４）を設けたことを特徴とするものである。前記のように掬採網（１）で掬い採られた活魚は、この網竿（２）のロードセル８３）の歪みによって重量が計量検出されると共に、このときの計量重量が網竿（２）の手元に設けられた秤量表示器（４）によって表示される。作業者はこの表示を見て正確な重量を読み取り、乃至記録することができる。
【発明の効果】
【０００６】  請求項１に記載の発明は、作業者は、網竿（２）を把持して活魚を掬採網（１）部に掬い採ると同時に、この網竿（２）のロードセル（３）によって掬採活魚の重量を計量検出することができ、この活魚計量のための特別の秤量器を用意したり、この秤量器へ搬送する取扱手数等を少なくして、掬採り、計量作業を的確、迅速に行うことができる。又、網竿（２）の先端部にロードセル（３）を介して掬採網（１）を設ける構成であるから、構成も簡単、軽量であり、活魚掬採竿網としての容易な取扱性を維持することができる。【０００７】  請求項２に記載の発明は、活魚を掬採網（１）中に掬い採った状態で、網竿（２）の把持手元部の秤量表示器（４）を見ることができ、活魚の重量を正確に読み取ることができ、活魚の掬採りと、重量計量と、計量読取り等を同時に行うことができ、簡単な竿網形態で、一連の作業操作や、取扱を簡単、迅速にして、作業性を高めることができる。
【発明を実施するための最良の形態】
【０００８】  この発明の実施例を図面に基づいて説明する。この活魚掬採竿網は、網竿２の先端部で玉網形態の活魚掬採網１の取付部に、この掬採網１に掬い採られた活魚Ａの重量を計量するロードセル３を設けたものである。掬採網１は、網輪５を有して、網竿２の先端部に取付リング６によって、取付支持される。この網竿２はカーボン材等から中空丸形パイプ状断面形態で、適宜の竿長さと竿径に形成される。この網竿２の先端部には、蛇腹状形態のロードセル３が設けられ、このロードセル３の先端部に網輪５が取り付けられる。又、該網竿２の中空部７には、電池８、秤量表示器４、及びアンプ９等を内装して、これらをハーネス１０で連結して秤量回路を構成し、前記ロードセ３の秤量歪み量を検出して、秤量表示器４のディスプレイ２５にデジタル表示できる構成としている。【０００９】  このような掬採竿網を用いて水槽１１内や、養殖網内の活魚Ａを掬い採るときは、作業者が網竿２部を把持して、掬採網１部を水槽１１等内へ差し込んで活魚Ａを網輪５内に掬い込んで上方へ持ち上げる。この掬採網１が水槽１１等から上昇されて、網竿２が略水平状になると共に、活魚Ａの動きが静止すると、このときの掬採網１の活魚Ａの重量によるロードセル３の歪みによって、この歪み値がアンプ９を介して秤量表示器４のディスプレイ２５にデジタル表示される。作業者はこの秤量表示器４に表示された秤量値を読み取って掬採活魚Ａの重量とすることができる。このように掬竿網で活魚Ａを掬い採ることによって、直ちにこの網竿２のロードセル３によりこの活魚Ａの重量を計量して、秤量表示器４で知ることができ、ロードセル３や秤量表示器４等は網竿２の先端部や内部に設けられるものであるから、活魚の掬採作業の邪魔にならず、軽量で、操作性を良くすることができる。【００１０】  前記網竿２の把持手元部に設けられる活魚秤量表示器４としては、掬採網１で掬い採られた活魚Ａを一尾毎掬い上げて、網竿２を略水平状にすることによって秤量して設定重量区分域毎に分別することができる。この秤量表示器４は、網竿２の把持部近くには液晶デスプレイ２５と、各秤量重量区域毎の秤量位置を点灯表示する大、中、小重量の秤量ランプ２６（２６Ｌ、２６Ｍ、２６Ｓ）等を配置する。前記ロードセル３で秤量された秤量値がディスプレイ２５にデジタル表示されると共に、この秤量値が該当する重量別域の秤量ランプ２６が点灯される。作業者は、これら秤量ランプ２６の点灯位置により活魚の振り分け先を判断し、重量別に仕分けすることができる。又、この秤量されるデータを記憶、集計したり、パソコンに取り込んで処理することができる。【００１１】  又、前記網竿２の把持部の秤量表示器４として、図２のように秤量表示ディスプレイ２５と共に、又は別位置に前記秤量表示回路の電源スイッチ１２や、秤量表示の封たい引き等を行って零点位置を決める零点合わせスイッチ１３、及び秤量を行わせる秤量スイッチ１４等の操作ボタンを配置する。このような竿網による掬採魚Ａの重量を計量するときは、活魚Ａの動きや、網竿２の上下動等によって、計量精度が左右されることが多いが、このような秤量スイッチ１４を操作することによって、安定した秤量、表示を行わせることが���きる。又、この秤量スイッチ１４を押すことによって、秤量表示器４におけるデジタル表示値の変化、変動を静止するように構成することによって、この計量数値の読み取りを行い易くすることができる。このような秤量表示器４や操作ボタン１２、１３、１４等の外周部に凸縁部１５を形成することによって、作業者がこれらの外周部を把持しても、秤量表示器４や操作ボタン等を誤って押圧することを防止して、誤操作を少なくする。又、前記秤量表示器４には、秤量値を記憶するメモリーが設けられて、ソケット１６に差し込み連結されるプリンターによってこの秤量値をプリントすることができる。このソケット１６部は防水キャップ１７で開閉可能に設けられている。【００１２】  又、このような秤量表示器４の外周には、略網竿２の外周面と同形態で透明な開閉カバーを設けることもできる。この形態では、透明な開閉カバーによって前記ディスプレイ２５の秤量表示値を読み取りでき易くすると共に、この開閉カバーの前記操作ボタン１２、１３、１４部を柔らかい構成として、この開閉カバーの外側から各操作ボタンを押し操作できるように構成することにより、防水性を高める形態とすることもできる。【００１３】  つぎに、図３のように前記掬採竿網のロードセル３は、コード１８を介して、前記秤量表示器４に代えるパソコン１９に連結して、掬採網１部の活魚Ａの秤量重量をこのパソコン１９によって読み取ったり、集計、記録できるように構成する。又、プリンター２０でプリントできる形態とすることができる。２１は電源ソケットである。
【図面の簡単な説明】
【図１】魚掬採竿網の斜視図と、一部の拡大平面図。
【図２】その一部別実施例を示す網竿部の斜視図。
【図３】一部別実施例を示す魚掬採竿網部の斜視図。
【符号の説明】
１    掬採網
２    網竿
３    ロードセル
４    秤量表示器
【図１】
2006280345.tif 000003
【図２】
2006280345.tif 000004
【図３】
2006280345.tif 000005